(57)【特許請求の範囲】
【請求項１】
撮像手段と、
前記撮像手段で撮像された画像を表示手段に表示するように制御する表示制御手段と、
入力イベントを取得して、該入力イベントが前記撮像手段での撮像に関する特定の設定項目の設定状態を変更するための特定の操作部材が操作されたことを示す入力イベントか否かを判定する操作判定手段と、
前記操作判定手段によって前記特定の操作部材が操作されたことを示す入力イベントと判定すると、前記特定の設定項目の現在の設定状態を表す設定表示が前記表示手段に表示されているか否かを判定する表示判定手段と、
前記表示判定手段によって前記設定表示が表示されていないと判定すると、前記特定の設定項目の設定状態を変更せずに、前記設定表示を前記表示制御手段が表示している画像とともに前記表示手段に表示するように制御し、前記表示判定手段によって前記設定表示が表示されていると判定すると、前記特定の設定項目の設定状態を変更するとともに、表示していた前記設定表示を、変更された設定状態を表すように更新して前記表示制御手段が表示している画像とともに表示するように制御する制御手段とを有し、
前記制御手段は、前記設定表示を前記表示手段に表示している間に特定の条件が満たされると、前記設定表示の表示を終了するように制御することを特徴とする撮像装置。
【請求項２】
前記特定の条件は、前記設定表示の表示開始あるいは前記特定の設定項目の設定状態の変更から一定時間、前記特定の設定項目の設定状態が変更されないことであることを特徴とする請求項１に記載の撮像装置。
【請求項３】
前記特定の設定項目は、フラッシュ発光に関する設定であることを特徴とする請求項１または２に記載の撮像装置。
【請求項４】
前記特定の設定項目は、セルフタイマー撮影及びフォーカスに関する設定のうちの少なくとも一つであることを特徴とする請求項１乃至３のいずれか１項に記載の撮像装置。
【請求項５】
前記特定の設定項目は、露出補正、ホワイトバランスに関する設定項目のうちの少なくとも一つであることを特徴とする請求項１乃至４のいずれか１項に記載の撮像装置。
【請求項６】
前記制御手段は、当該撮像装置を撮影モードで起動した際に前記設定表示を一定時間表示することを特徴とする請求項１乃至５のいずれか１項に記載の撮像装置。
【請求項７】
撮像手段と、
前記撮像手段で撮像された画像を表示手段に表示するように制御する表示制御手段と、
入力イベントを取得して、該入力イベントが前記撮像手段での撮像に関する特定の設定項目の設定状態を変更するための特定の操作部材が操作されたことを示す入力イベントか否かを判定する操作判定手段と、
現在の設定状態を表す設定表示の前記表示手段への表示開始あるいは前記特定の設定項目の設定状態変更からの時間を計時する計時手段と、
前記操作判定手段によって前記特定の操作部材が操作されたと判定した際に前記計時手段によって計時された時間が一定時間以内でない場合は、前記特定の設定項目の設定状態を変更せずに、前記表示制御手段が表示している画像とともに前記設定表示を前記表示手段に表示するように制御し、前記操作判定手段によって前記特定の操作部材が操作されたと判定した際に前記計時手段によって計時された時間が一定時間以内である場合には、前記特定の設定項目の設定状態を変更するとともに、前記設定表示を変更された設定状態を表すように更新して前記表示制御手段が表示している画像とともに表示するように制御する制御手段とを有し、
前記制御手段は、前記設定表示を前記表示手段に表示している間に特定の条件が満たされると、前記設定表示の表示を終了するように制御することを特徴とする撮像装置。
【請求項８】
撮像工程と、
前記撮像工程で撮像された画像を表示手段に表示するように制御する表示制御工程と、
入力イベントを取得して、該入力イベントが前記撮像工程での撮像に関する特定の設定項目の設定状態を変更するための特定の操作部材が操作されたことを示す入力イベントか否かを判定する操作判定工程と、
前記操作判定工程において前記特定の操作部材が操作されたことを示す入力イベントと判定すると、前記特定の設定項目の現在の設定状態を表す設定表示が前記表示手段に表示されているか否かを判定する表示判定工程と、
前記表示判定工程において前記設定表示が表示されていないと判定すると、前記特定の設定項目の設定状態を変更せずに、前記設定表示を前記表示制御工程で表示している画像とともに前記表示手段に表示するように制御し、前記表示判定工程において前記設定表示が表示されていると判定すると、前記特定の設定項目の設定状態を変更するとともに、表示していた前記設定表示を、変更された設定状態を表すように更新して前記表示制御工程で表示している画像とともに表示するように制御する制御工程とを有し、
前記制御工程において、前記設定表示を前記表示手段に表示している間に特定の条件が満たされると、前記設定表示の表示を終了するように制御することを特徴とする撮像方法。
【請求項９】
撮像手段と、
前記撮像手段で撮像された画像を表示手段に表示するように制御する表示制御手段と、
入力イベントを取得して、該入力イベントが前記撮像手段での撮像に関する特定の設定項目の設定状態を変更するための特定の操作部材が操作されたことを示す入力イベントか否かを判定する操作判定手段と、
前記操作判定手段によって前記特定の操作部材が操作されたことを示す入力イベントと判定すると、前記特定の設定項目の現在の設定状態を表す設定表示が前記表示手段に表示されているか否かを判定する表示判定手段と、
前記表示判定手段によって前記設定表示が表示されていないと判定すると、前記特定の設定項目の設定状態を変更せずに、前記設定表示を前記表示制御手段が表示している画像とともに前記表示手段に表示するように制御し、前記表示判定手段によって前記設定表示が表示されていると判定すると、前記特定の設定項目の設定状態を変更するとともに、表示していた前記設定表示を、変更された設定状態を表すように更新して前記表示制御手段が表示している画像とともに表示するように制御する制御手段として、
コンピュータを機能させるためのプログラムを記録したコンピュータ読み取り可能な記録媒体。
【請求項１０】
撮像工程と、
前記撮像工程で撮像された画像を表示手段に表示するように制御する表示制御工程と、
入力イベントを取得して、該入力イベントが前記撮像手段での撮像に関する特定の設定項目の設定状態を変更するための特定の操作部材が操作されたことを示す入力イベントか否かを判定する操作判定工程と、
現在の設定状態を表す設定表示の前記表示手段への表示開始あるいは前記特定の設定項目の設定状態変更からの時間を計時する計時工程と、
前記操作判定工程において前記特定の操作部材が操作されたと判定した際に前記計時工程において計時された時間が一定時間以内でない場合は、前記特定の設定項目の設定状態を変更せずに、前記表示制御工程で表示している画像とともに前記設定表示を前記表示手段に表示するように制御し、前記操作判定工程において前記特定の操作部材が操作されたと判定した際に前記計時工程において計時された時間が一定時間以内である場合には、前記特定の設定項目の設定状態を変更するとともに、前記設定表示を変更された設定状態を表すように更新して前記表示制御工程で表示している画像とともに表示するように制御する制御工程とを有し、
前記制御工程において、前記設定表示を前記表示手段に表示している間に特定の条件が満たされると、前記設定表示の表示を終了するように制御することを特徴とする撮像方法。
【請求項１１】
撮像手段と、
前記撮像手段で撮像された画像を表示手段に表示するように制御する表示制御手段と、
入力イベントを取得して、該入力イベントが前記撮像手段での撮像に関する特定の設定項目の設定状態を変更するための特定の操作部材が操作されたことを示す入力イベントか否かを判定する操作判定手段と、
現在の設定状態を表す設定表示の前記表示手段への表示開始あるいは前記特定の設定項目の設定状態変更からの時間を計時する計時手段と、
前記操作判定手段によって前記特定の操作部材が操作されたと判定した際に前記計時手段によって計時された時間が一定時間以内でない場合は、前記特定の設定項目の設定状態を変更せずに、前記表示制御手段が表示している画像とともに前記設定表示を前記表示手段に表示するように制御し、前記操作判定手段によって前記特定の操作部材が操作されたと判定した際に前記計時手段によって計時された時間が一定時間以内である場合には、前記特定の設定項目の設定状態を変更するとともに、前記設定表示を変更された設定状態を表すように更新して前記表示制御手段が表示している画像とともに表示するように制御する制御手段として、
コンピュータを機能させるためのプログラムを記録したコンピュータ読み取り可能な記録媒体。
【発明の詳細な説明】
【０００１】
【発明の属する技術分野】
本発明は、静止画像や動画像を撮像、記録あるいは再生する撮像装置および撮像装置の制御方法に関する。
【０００２】
【従来の技術】
従来、固体メモリ素子を有するメモリカードを記録媒体として、静止画像や動画像を記録再生する電子カメラ等の画像処理装置は既に市販されている。また、カラー液晶パネル等の電子ファインダを備える電子カメラも販売されている。さらにカラー液晶パネルのほかに、設定内容の表示を主に担当する白黒液晶パネルの両方を備えているものも多い。
【０００３】
【発明が解決しようとする課題】
設定内容の表示専用の表示部材を有するこれらの電子カメラでは、つねに設定内容を確認することができることにおいて有用ではあるが、その場合当然コストが増加する。一方、設定内容の表示専用の液晶パネルを外して、その機能を電子ファインダ表示装置に表示することがある。この場合にはファインダサイズが小さくなったり、ファインダ画像と設定内容の表示が重なることがあり、ファインダが見づらくなってしまう。
【０００４】
本発明はかかる実情に鑑み、少ない操作部材で、操作・使用性に優れ、円滑かつ適性に設定内容を表示可能な撮像装置および撮像方法を提供することを目的とする。
【０００５】
【課題を解決するための手段】
本発明の撮像装置は、撮像手段と、
前記撮像手段で撮像された画像を表示手段に表示するように制御する表示制御手段と、
入力イベントを取得して、該入力イベントが前記撮像手段での撮像に関する特定の設定項目の設定状態を変更するための特定の操作部材が操作されたことを示す入力イベントか否かを判定する操作判定手段と、
前記操作判定手段によって前記特定の操作部材が操作されたことを示す入力イベントと判定すると、前記特定の設定項目の現在の設定状態を表す設定表示が前記表示手段に表示されているか否かを判定する表示判定手段と、
前記表示判定手段によって前記設定表示が表示されていないと判定すると、前記特定の設定項目の設定状態を変更せずに、前記設定表示を前記表示制御手段が表示している画像とともに前記表示手段に表示するように制御し、前記表示判定手段によって前記設定表示が表示されていると判定すると、前記特定の設定項目の設定状態を変更するとともに、表示していた前記設定表示を、変更された設定状態を表すように更新して前記表示制御手段が表示している画像とともに表示するように制御する制御手段とを有し、
前記制御手段は、前記設定表示を前記表示手段に表示している間に特定の条件が満たされると、前記設定表示の表示を終了するように制御することを特徴とする。
【０００６】
また、本発明の撮像装置は、撮像手段と、
前記撮像手段で撮像された画像を表示手段に表示するように制御する表示制御手段と、
入力イベントを取得して、該入力イベントが前記撮像手段での撮像に関する特定の設定項目の設定状態を変更するための特定の操作部材が操作されたことを示す入力イベントか否かを判定する操作判定手段と、
現在の設定状態を表す設定表示の前記表示手段への表示開始あるいは前記特定の設定項目の設定状態変更からの時間を計時する計時手段と、
前記操作判定手段によって前記特定の操作部材が操作されたと判定した際に前記計時手段によって計時された時間が一定時間以内でない場合は、前記特定の設定項目の設定状態を変更せずに、前記表示制御手段が表示している画像とともに前記設定表示を前記表示手段に表示するように制御し、前記操作判定手段によって前記特定の操作部材が操作されたと判定した際に前記計時手段によって計時された時間が一定時間以内である場合には、前記特定の設定項目の設定状態を変更するとともに、前記設定表示を変更された設定状態を表すように更新して前記表示制御手段が表示している画像とともに表示するように制御する制御手段とを有し、
前記制御手段は、前記設定表示を前記表示手段に表示している間に特定の条件が満たされると、前記設定表示の表示を終了するように制御することを特徴とする。
【００１８】
本発明によれば、撮像装置において通常状態ではファインダ部に設定内容表示はせずに、設定変更用の操作部材が操作された場合に初めて現在の設定内容を表示する。設定内容が表示されている間にさらに操作部材が操作されたときに初めて設定項目を変更し、その設定内容を同時に更新する。また設定内容は操作部による操作が加わらなければ一定期間表示した後、表示内容の出力を停止する。これにより、表示される設定内容の表示専用の部材を減らせ、ファインダ部の見づらさをなくすることが可能となる。
【００１９】
【発明の実施の形態】
以下、図面を参照して本発明の好適な実施の形態を説明する。
（第１の実施形態）
図１は、本発明の実施形態における構成を示している。図１において、１００は画像処理装置である。１０は撮影レンズ、１２は絞り機能を備えるシャッター、１４は光学像を電気信号に変換する撮像素子、１６は撮像素子１４のアナログ信号出力をデジタル信号に変換するＡ／Ｄ変換器である。１８は撮像素子１４、Ａ／Ｄ変換器１６、Ｄ／Ａ変換器２６にクロック信号や制御信号を供給するタイミング発生回路であり、メモリ制御回路２２およびシステム制御回路５０により制御される。
【００２０】
２０は画像処理回路であり、Ａ／Ｄ変換器１６からのデータあるいはメモリ制御回路２２からのデータに対して所定の画素補間処理や色変換処理を行う。画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。さらに、画像処理回路２０において、撮像した画像データを用いて所定の演算処理を行い、得られた演算結果に基づいてＴＴＬ方式のＡＷＢ（オートホワイトバランス）処理も行っている。
【００２１】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータは画像処理回路２０、メモリ制御回路２２を介して、あるいは直接メモリ制御回路２２を介して、画像表示メモリ２４あるいはメモリ３０に書き込まれる。
【００２２】
２４は画像表示メモリ、２６はＤ／Ａ変換器、２８はＴＦＴＬＣＤ等からなる画像表示部である。画像表示メモリ２４に書き込まれた表示用の画像データは、Ｄ／Ａ変換器２６を介して画像表示部２８により表示される。画像表示部２８を用いて撮像した画像データを逐次表示すれば、電子ファインダ機能を実現することが可能である。
【００２３】
また、画像表示部２８は、システム制御回路５０の指示により任意にその表示をＯＮ／ＯＦＦすることが可能である。表示をＯＦＦにした場合には画像処理装置１００の電力消費を大幅に低減することができる。画像表示部２８はさらに、回転可能なヒンジ部によって画像処理装置１００本体と結合されており、自由な向き、角度を設定して電子ファインダ機能や再生表示機能、各種表示機能を使用することができる。また、画像表示部２８の表示部分を画像処理装置１００に向けて格納することが可能である。この場合は画像表示部開閉検知手段１０６により、格納状態を検知して画像表示部２８の表示動作を停止することができる。
【００２４】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合も、高速かつ大量の画像書込みをメモリ３０に対して行うことが可能となる。また、メモリ３０はシステム制御回路５０の作業領域としても使用することが可能である。３２は適応離散コサイン変換（ＡＤＣＴ）等により画像データを圧縮・伸長する圧縮・伸長回路であり、メモリ３０に格納された画像を読み込んで圧縮処理あるいは伸長処理を行い、処理を終えたデータをメモリ３０に書き込む。
【００２５】
４０は絞り機能を備えるシャッター１２を制御する露光制御手段であり、フラッシュ４８と連携することによりフラッシュ調光機能も有する。４２は撮影レンズ１０のフォーカシングを制御する測距制御手段である。露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。４４は撮影レンズ１０のズーミングを制御するズーム制御手段、４６はバリアである保護手段１０２の動作を制御するバリア制御手段である。４８はコネクタであり、アクセサリシューとも呼ばれ、フラッシュ装置４００との電気接点や機械的な固定手段も合わせて備えている。
【００２６】
５０は画像処理装置１００全体を制御するシステム制御回路、５２はシステム制御回路５０の動作用の定数、変数およびプログラム等を記憶するメモリ、５６は電気的に消去・記録可能な不揮発性メモリであり、たとえばＥＥＰＲＯＭ等が用いられる。
【００２７】
６０，６２，６４，６６，６８および７０は、システム制御回路５０の各種の動作指示を入力するための操作手段であり、スイッチやダイアル、タッチパネル、視線検知によるポインティング、音声認識装置等の単数あるいは複数の組合わせで構成される。
【００２８】
ここで、これらの操作手段の具体的な説明を行う。
６０はモードダイアルスイツチであり、電源オフ、自動撮影モード、撮影モード、パノラマ撮影モード、再生モード、マルチ画面再生・消去モード、ＰＣ接続モード等の各機能モードを切替え設定することができる。
６２はシャッタースイッチＳＷ１であり、図示しないシャッターボタンの操作の途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００２９】
６４はシャッタースイッチＳＷ２であり、図示しないシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出す。そして圧縮・伸長回路３２で圧縮を行い、記録媒体２００あるいは２１０に画像データを書き込む記録処理という一連の処理の動作開始を指示する。
【００３０】
６６は画像表示ＯＮ／ＯＦＦスイッチであり、画像表示部２８のＯＮ／ＯＦＦを設定することができる。この機能により、光学ファインダ１０４を用いて撮影を行う際に、ＴＦＴＬＣＤ等から成る画像表示部への電流供給を遮断することにより、省電力を図ることが可能となる。
６８は単写／連写スイッチであり、シャッタースイッチＳＷ２を押した場合には１駒の撮影を行って待機状態とする単写モードと、シャッタースイッチＳＷ２を押している間は連続して撮影を行い続ける連写モードとを設定することができる。
【００３１】
７０は各種ボタンやタッチパネル等からなる操作部であり、メニューボタン、セットボタン、マクロボタン、マルチ画面再生改ぺージボタン、フラッシュ設定ボタン、単写／連写／セルフタイマー切替えボタン、メニュー移動「＋」（プラス）ボタン、メニュー移動「−」（マイナス）ボタン、再生画像移動「＋」（プラス）ボタン、再生画像「−」（マイナス）ボタン、メニュー移動アップボタン、メニュー移動ダウンボタン、撮影画質選択ボタン、露出補正ボタン、日付／時間設定ボタン、パノラマモード等の撮影および再生を実行する際に各種機能の選択および切替えを設定する選択／切替えボタン、音声記録を開始するボタン、パノラマモード等の撮影および再生を実行する際に各種機能の決定および実行を設定する決定／実行ボタン、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ、ＪＰＥＧ圧縮の圧縮率を選択するため、あるいは撮像素子の信号をそのままデジタル化して記録媒体に記録するＣＣＤＲＡＷモードを選択するためのスイッチである圧縮モードスイッチ、再生モード、マルチ画面再生・消去モード、ＰＣ接続モード等の各機能モードを設定することができる再生モードスイッチ、撮影モード状態において撮影した画像をメモリ３０あるいは記録媒体２００或いは２１０から読み出して画像表示部２８によって表示する再生動作の開始を指示する再生スイッチ、アクティブなドライブを変更するためのドライブボタン、再生時に１枚表示と複数枚表示とを切り替える再生表示切替えボタン、記録画像の付帯情報を表示するための情報表示ボタン等がある。
【００３２】
８０は電源制御手段であり、電池検出回路、ＤＣ−ＤＣコンバータ、通電するブロックを切り替えるスイッチ回路等により構成されており、電池の装着の有無、電池の種類、電池残量の検出を行い、検出結果およびシステム制御回路５０の指示に基づいてＤＣ−ＤＣコンバータを制御し、必要な電圧を必要な期間、記録媒体を含む各部へ供給する。８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００３３】
９０および９４はメモリカードやハードディスク等の記録媒体とのインタフェース、９２および９６はメモリカードやハードディスク等の記録媒体と接続を行うコネクタ、９８はコネクタ９２および／あるいは９６に記録媒体２００あるいは２１０が装着されているか否かを検知する記録媒体着脱検知手段である。
なお、本実施形態では記録媒体を取り付けるインターフェースおよびコネクタを２系統持つものとして説明している。もちろん、記録媒体を取り付けるインターフェースおよびコネクタは、単数あるいは複数いずれの系統数を備える構成としても差し支えない。また、異なる規格のインターフェースおよびコネクタを組み合わせて備える構成としてもよい。
【００３４】
インターフェースおよびコネクタとしては、ＰＣＭＣＩＡカードやＣＦ（コンパクトフラッシュ）カード等の規格に準拠したものを用いて構成して構わない。さらに、インタフェース９０および９４、そしてコネクタ９２および９６をＰＣＭＣＩＡカードやＣＦ（コンパクトフラッシュ）カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード等の各種通信カードを接続することにより、他のコンピュータやプリンタ等の周辺機器との間で画像データや画像データに付属した管理情報を転送し合うことができる。
【００３５】
１０２は画像処理装置１００のレンズ１０を含む撮像部を覆うことにより、撮像部の汚れや破損を防止するバリアである保護手段である。
１０４は光学ファインダであり、画像表示部２８による電子ファインダ機能を使用することなしに光学ファインダのみを用いて撮影を行うことが可能である。また、光学ファインダ１０４内には、表示部５４の一部の機能、たとえば合焦表示、手振れ警告表示、フラッシュ充電表示、シャッタースピード表示、絞り値表示、露出補正表示などが設置されている。
１０６は画像表示部開閉検知手段であり、画像表示部２８が、画像表示部２８の表示部分を画像処理装置１００に向けて格納した格納状態にあるかどうかを検知することができる。ここで、格納状態にあると検知したならば画像表示部２８の表示動作を停止して不要な電力消費を禁止することが可能である。
【００３６】
１１０は通信手段であり、ＲＳ２３２ＣやＵＳＢ、ＩＥＥＥ１３９４、Ｐ１２８４、ＳＣＳＩ、モデム、ＬＡＮ、無線通信等の各種通信機能を有する。１１２は通信手段１１０により画像処理装置１００を他の機器と接続するコネクタあるいは無線通信の場合はアンテナである。
【００３７】
２００はメモリカードやハードディスク等の記録媒体である。記録媒体２００は、半導体メモリや磁気ディスク等から構成される記録部２０２、画像処理装置１００とのインタフェース２０４および画像処理装置１００と接続を行うコネクタ２０６を備えている。
２１０はメモリカードやハードディスク等の記録媒体である。記録媒体２１０は、半導体メモリや磁気ディスク等から構成される記録部２１２、画像処理装置１００とのインタフェース２１４および画像処理装置１００と接続を行うコネクタ２１６を備えている。
【００３８】
４００はフラッシュ装置である。４０２は画像処理装置１００のアクセサリーシューと接続するためのコネクタである。４０４はフラッシュであり、ＡＦ補助光の投光機能、フラッシュ調光機能も有する。
【００３９】
図２は、本発明における処理フローを示す図である。また図３は、画像表示部２８に出力される画面構成例を示す図である。以下に図２および図３を用いて、画像処理装置１００において撮影確認画面を保持し撮影画像に対する処理を施す例を説明する。
【００４０】
モードダイアル６０が撮影可能なモードを示している場合、シャッタースイッチＳＷ１（６２）およびＳＷ２（６４）を用いて撮影が可能である。システム制御部５０は通常撮影準備状態にあり、シャッタースイッチＳＷ１（６２）が押されたことを検知すると、露光制御部４０において露光制御、測距制御部４２において測距制御を行い、それらの制御が終了した時点で露光開始状態に遷移する。この状態でシャッタースイッチＳＷ２（６４）が押されたことを検知すると、露光を開始する。
【００４１】
撮影された画像は撮像部１４、Ａ／Ｄ変換部１６、画像処理部２０およびメモリ制御部２２を用いて撮影画像をメモリ３０に格納する。メモリ３０に格納された記録画像は必要に応じて圧縮・伸張部３２においてデータ圧縮が施され、そのデータがメモリ３０に再び格納される。この状態でシステム制御部５０は撮影終了し、撮影準備状態に復帰する。
【００４２】
撮影準備状態中に操作部７０のボタンスイッチ等でフラッシュ、セルフタイマー撮影、フォーカス、露出補正、ホワイトバランス等の撮影時および画像処理時のカメラ制御設定値を変更することが可能である。このとき常時システム制御部５０はイベント監視をしており（ステップＳ２０２）、取得したイベントが操作スイッチである場合（ステップＳ２０３）、現在画像表示部２８に現在の設定状態が表示されているかの判断を行う。表示中の判断はタイマーのタイムアウトか否かで判断する（ステップＳ２０４）。タイマー中であれば表示部２８に表示中であり、タイムアウトしていれば表示は消えている。
【００４３】
現在表示部２８に表示中でなければ、現在の設定値を不揮発性メモリ５６等から取得する（ステップＳ２０６）。その設定値に基づく表示データを画像表示メモリ２４に書き込み、画像表示部２８に出力する（ステップＳ２０７）。そしてタイマーを起動し（ステップＳ２０８）、一連のイベント処理を終了する（ステップＳ２１１）。
【００４４】
ここで、この時画像表示部２８に表示されるものは、図３に示されるようにモード（３０１）、露出補正値（３０２）、ホワイトバランス設定（３０３）、画像記録サイズおよび圧縮率（３０４）、フラッシュ発光設定（３０５）、ドライブ設定（３０６）、フォーカスモード（３０７）、残り記録枚数（３０８）等がある。
【００４５】
入力イベントが操作スイッチであり（ステップＳ２０３）、かつタイムアウトしていないければ（ステップＳ２０４）操作スイッチにより、対象となるカメラ設定値を変更する（たとえばフラッシュスイッチであれば、フラッシュ発光に関する設定を選択された設定に変更する）。同時に画像表示メモリ２４中の現在の設定表示を更新する。たとえばフラッシュ発光設定であれば、フラッシュ発光設定を示す描画領域（３０５）を変更後の表示に更新する。そして、その結果を画像表示部２８に表示出力し（ステップＳ２０７）、タイマーをスタートして（ステップＳ２０８）処理を終了する。
【００４６】
一方、イベント取得した結果（ステップＳ２０２）操作スイッチでない場合、タイマーのタイムアウト判定を行う（ステップＳ２０９）。タイムアウトしている場合、画像表示メモリ２４中の表示内容をクリアし（ステップＳ２１０）、設定内容の画像表示部２８への出力を停止し、終了する。タイムアウトしていなければそのまま終了する。
【００４７】
（他の実施例）
上記実施形態では撮影設定内容の表示を開始するトリガが、利用者による操作部７０からの信号で発生していた。この他にたとえば、撮影モード起動時にステップＳ２０６からステップＳ２０８までの処理を行なうことで設定内容を表示することも可能である。
【００４８】
ここで、上述した実施形態の機能を実現するように各種のデバイスを動作させるように、上記各種デバイスと接続された装置あるいはシステム内のコンピュータに対し、上記実施形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００４９】
また、この場合、上記ソフトウェアのプログラムコード自体が上述した実施形態の機能を実現することになり、そのプログラムコード自体、およびそのプログラムコードをコンピュータに供給するための手段、例えばかかるプログラムコードを格納した記憶媒体は本発明を構成する。かかるプログラムコードを記憶する記憶媒体としては、例えばフロッピーディスク、ハードディスク、光ディスク、光磁気ディスク、ＣＤ−ＲＯＭ、磁気テープ、不揮発性のメモリカード、ＲＯＭ等を用いることができる。
【００５０】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等の共同して上述の実施形態の機能が実現される場合にもかかるプログラムコードは本発明の実施形態に含まれることは言うまでもない。
【００５１】
さらに、供給されたプログラムコードがコンピュータの機能拡張ボードやコンピュータに接続された機能拡張ユニットに備わるメモリに格納された後、そのプログラムの指示に基づいてその機能拡張ボードや機能拡張ユニットに備わるＣＰＵ等が実際の処理の一部または全部を行い、その処理によって上述した実施形態の機能が実現される場合にも本発明に含まれる。
【００５２】
本発明によれば、撮像した静止画像および／または動画像を記録媒体に記録する撮像装置において、操作手段により設定内容の変更を行なう場合まず、現在の設定内容を表示装置に出力する。その設定内容が表示装置に出力された状態でのみ操作手段による設定値変更を行なうことにより、設定値表示専用の部材を設ける必要がなく、また常時ファインダに設定値を表示させることによる煩わしさを解消することが可能となる。
【発明の効果】
以上説明したように、本発明によれば、設定変更を伴わずにユーザが単に現在の設定状態を確認したい場合に行う設定内容の表示指示と、設定内容を変更したい場合に行う設定変更値変更指示との双方を、単一の操作部材によって行なうことができる。したがって、煩わしさを低減した設定内容の表示と設定変更とを少ない操作部材で操作・使用性良く実現することができる。
【図面の簡単な説明】
【図１】本発明の実施形態における装置の構成を示すブロック図である。
【図２】本発明の実施形態における装置動作の主ルーチンの一部を示すフローチャートである。
【図３】本発明の実施形態における画面構成例を示す図である。
【符号の説明】
１０    撮影レンズ
１２    シャッター
１４    撮像素子
１６    Ａ／Ｄ変換器
１８    タイミング発生回路
２０    画像処理回路
２２    メモリ制御回路
２４    画像表示メモリ
２６    Ｄ／Ａ変換器
２８    画像表示部
３０    メモリ
３２    画像圧縮・伸長回路
４０    露光制御手段
４２    測距制御手段
４４    ズーム制御手段
４６    バリア制御手段
４８    コネクタ（アクセサリーシュー）
５０    システム制御回路
５２    メモリ
５６    不揮発性メモリ
６０    モードダイアルスイッチ
６２    シャッタースイッチＳＷ１
６４    シャッタースイッチＳＷ２
６６    画像表示ＯＮ／ＯＦＦスイッチ
６８    単写／速写スイッチ
７０    操作部
８０    電源制御手段
８２    コネクタ
８４    コネクタ
８６    電源手段
９０    インタフェース
９２    コネクタ
９４    インタフェース
９６    コネクタ
９８    記録媒体着脱検知手段
１００    画像処理装置
１０２    保護手段
１０４    光学ファインダ
１０６    画像表示部開閉検知手段
１１０    通信手段
１１２    コネクタ（またはアンテナ）
２００    記録媒体
２０２    記録部
２０４    インタフェース
２０６    コネクタ
２１０    記録媒体
２１２    記録部
２１４    インタフェース
２１６    コネクタ
４００    フラッシュ装置
４０２    コネクタ
４０４    フラッシュ
【図１】
0004463941.tif 000002
【図２】
0004463941.tif 000003
【図３】
0004463941.tif 000004